(57)【要約】【課題】  スピニングリールのスプールカバーにおいて、スプール及びスプールに巻き付けられた釣り糸を確実に保護できるようにするとともに、スプール及び釣り糸を速やかに乾燥できるようにする。【解決手段】  スピニングリールのスプールカバー１０は、前フランジ部４ｃの前方から装着され前フランジ部４ｃ、糸巻胴部４ａ及びスカート部４ｂの全周を覆う弾性樹脂製の筒状部１１と、筒状部１１の前端から内側に折れ曲がって一体成形され前フランジ部４ｃの前面周縁部を覆う環状部１２と、筒状部１１及び環状部１２の内外周を貫通する複数の水抜き孔１３とを有している。【選択図】      図４
2006094755.tif 000002
【特許請求の範囲】
【請求項１】
外周に釣り糸が巻き付けられる糸巻胴部と、前記糸巻胴部の前端部に設けられた前フランジ部と、前記糸巻胴部の後端部に設けられた筒状のスカート部とを有するスプールの外周を保護するスピニングリールのスプールカバーであって、
前記前フランジ部の前方から装着され、少なくとも前記前フランジ部及び前記糸巻胴部の外周を覆う弾性樹脂製の筒状部と、
前記筒状部の内外周を貫通する複数の水抜き孔と、
を備えたスピニングリールのスプールカバー。
【請求項２】
前記筒状部は、前記スカート部の外周を覆うように形成されている、請求項１に記載のスピニングリールのスプールカバー。
【請求項３】
前記筒状部は、クロロプレンゴム製である、請求項１又は２に記載のスピニングリールのスプールカバー。
【請求項４】
前記筒状部は、内径が前記スカート部の外径よりやや大きくなるように形成されている、請求項２又は３に記載のスピニングリールのスプールカバー。
【請求項５】
前記水抜き孔は、前記筒状部の全周にわたって形成されている、請求項１から４のいずれか１項に記載のスピニングリールのスプールカバー。
【請求項６】
前記水抜き孔は、メッシュ状に形成されている、請求項１から５のいずれか１項に記載のスピニングリールのスプールカバー。
【請求項７】
前記水抜き孔は、外形が略円形の複数の貫通孔である、請求項１から５のいずれか１項に記載のスピニングリールのスプールカバー。
【請求項８】
前記筒状部の前端から内側に折れ曲がって形成され、前記前フランジ部の前面周縁部を覆う環状部をさらに備えている、請求項１から７のいずれか１項に記載のスピニングリールのスプールカバー。
【請求項９】
前記環状部は、前記筒状部と一体成形されている、請求項８に記載のスピニングリールのスプールカバー。
【請求項１０】
前記環状部の内外周を貫通する複数の水抜き孔をさらに備えている、請求項８又は９に記載のスピニングリールのスプールカバー。
【発明の詳細な説明】
【技術分野】
【０００１】
本発明は、スプールカバー、特に、スプールの外周を保護するスピニングリールのスプールカバーに関する。
【背景技術】
【０００２】
一般に、スピニングリールは、ハンドルを回転自在に支持するリール本体と、ロータと、スプールとを有している。スプールは、リール本体に対して前後移動自在であり、釣り糸が巻き付けられる糸巻胴部と、糸巻胴部の前端に配置され糸巻胴部の外径より大きい外径を有する前フランジ部と、糸巻胴部の後方に一体で設けられた筒状のスカート部とを備えている。このようなスプールは、通常、釣り糸を巻き付けた状態で釣り場を移動したり、リールを保管したりするので、スプールに巻き付けられた釣り糸を保護するために、筒状のスプールカバーを装着したものが知られている（たとえば、特許文献１、非特許文献１参照）。このスプールカバーは、たとえば弾性及び撥水性を有する合成樹脂によって形成された筒状部材であり、スプール全体を覆うように装着されている。このようなスプールカバーをスプールに装着することにより、落下等による外部からの衝撃を受けても、スプール自身及びスプールに巻き付けられた釣り糸を確実に保護することができる。
【特許文献１】実用新案登録第３０９８５７４号公報
【非特許文献１】インターネット＜ＵＲＬ：ｈｔｔｐ：／／ｗｗｗ．ｆ−ｋｕｍａｇａｉ．ｃｏ．ｊｐ／ｂｗｈ／ｇｏｏｄｓ／ｇｏｏｄｓ．ｈｔｍｌ＃ｓｐｏｏｌｇｕａｒｄ＞
【発明の開示】
【発明が解決しようとする課題】
【０００３】
前記従来のスピニングリールのスプールは、たとえば海釣り等を行った後に海水を洗い流すために、釣り糸を巻き付けた状態でスプールを水洗いすることが多い。しかし、水分が残った状態でスプールカバーを装着すると、スプールカバーは合成樹脂製の筒状部材であるので、スプールカバーの内部に水分が残留し、スプール及びスプールに巻き付けられた釣り糸の速やかな乾燥を阻害するおそれがある。
【０００４】
本発明の課題は、スピニングリールのスプールカバーにおいて、スプール及びスプールに巻き付けられた釣り糸を確実に保護できるようにするとともに、スプール及び釣り糸を速やかに乾燥できるようにすることにある。
【課題を解決するための手段】
【０００５】
発明１に係るスプールカバーは、外周に釣り糸が巻き付けられる糸巻胴部と糸巻胴部の前端部に設けられた前フランジ部と糸巻胴部の後端部に設けられた筒状のスカート部とを有するスプールの外周を保護するスピニングリールのスプールカバーであって、前フランジ部の前方から装着され少なくとも前フランジ部及び糸巻胴部の外周を覆う弾性樹脂製の筒状部と、筒状部の内外周を貫通する複数の水抜き孔とを備えている。
【０００６】
このスプールカバーでは、スプール単体またはスプールをリールに装着した状態で、弾性樹脂製の筒状部により少なくとも前フランジ部及び糸巻胴部の外周が覆われているので、特に、外部からの衝撃によって傷付きやすい前フランジ部及びスプールに巻き付けられた釣り糸を確実に保護することができる。また、筒状部には、内外周を貫通する複数の水抜き孔が形成されているので、水分が残った状態でスプールカバーを装着しても水抜き孔から水分が排出され、このためスプール及びスプールに巻き付けられた釣り糸を速やかに乾燥できる。
【０００７】
発明２に係るスプールカバーは、発明１のスプールカバーにおいて、筒状部は、スカート部の外周を覆うように形成されている。この場合、糸巻胴部及び前フランジ部だけでなくスカート部の外周も確実に保護できる。
【０００８】
発明３に係るスプールカバーは、発明１又は２のスプールカバーにおいて、筒状部は、クロロプレンゴム製である。この場合、耐久性及び弾性等バランスが良好な合成ゴムであるクロロプレンゴムによって、安価かつ触感のよいものを形成することができる。
【０００９】
発明４に係るスプールカバーは、発明２又は３のスプールカバーにおいて、筒状部は、内径がスカート部の外径よりやや大きくなるように形成されている。この場合、筒状部をスカート部の外周に密着させて容易に固定することができる。
【００１０】
発明５に係るスプールカバーは、発明１から４のいずれかのスプールカバーにおいて、水抜き孔は、筒状部の全周にわたって形成されている。この場合、スプールの全周及びスプールの全周に巻き付けられた釣り糸の乾燥がさらに速やかになる。
【００１１】
発明６に係るスプールカバーは、発明１から５のいずれかのスプールカバーにおいて、水抜き孔は、メッシュ状に形成されている。この場合、外形が矩形の貫通孔を格子状に並べてメッシュ状に形成することにより、水抜き孔を大量に形成できる。
【００１２】
発明７に係るスプールカバーは、発明１から５のいずれかのスプールカバーにおいて、水抜き孔は、外形が略円形の貫通孔である。この場合、たとえば複数の貫通孔を周方向及び軸方向に並べて配置することにより、水抜き孔の形成が容易になる。
【００１３】
発明８に係るスプールカバーは、発明１から７のいずれかのスプールカバーにおいて、筒状部の前端から内側に折れ曲がって形成され、前フランジ部の前面周縁部を覆う環状部をさらに備えている。この場合、前フランジ部の前面側を確実に保護できる。
【００１４】
発明９に係るスプールカバーは、発明８のスプールカバーにおいて、環状部は、筒状部と一体成形されている。この場合、たとえば筒状部と環状部とをクロロプレンゴムによって一体成形することにより、筒状部及び環状部の加工性を向上できる。
【００１５】
発明１０に係るスプールカバーは、発明８又は９のスプールカバーにおいて、環状部の内外周を貫通する複数の水抜き孔をさらに備えている。この場合、前フランジ部の前面側の乾燥が速やかになる。
【発明の効果】
【００１６】
本発明によれば、スピニングリールのスプールカバーにおいて、少なくとも前フランジ部及び糸巻胴部の外周を覆う弾性樹脂製の筒状部と、筒状部の内外周を貫通する複数の水抜き孔とを有しているので、スプール及びスプールに巻き付けられた釣り糸を確実に保護できるとともに、スプール及び釣り糸を速やかに乾燥できる。
【発明を実施するための最良の形態】
【００１７】
本発明の一実施形態を採用したスピニングリールは、図１に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１８】
リール本体２は、内部に空間を有するリールボディ２ａと、リールボディ２ａの空間を塞ぐためにリールボディ２ａに着脱自在に装着される蓋部材２ｂとを有している。リールボディ２ａは、上部に前後に延びるＴ字形の竿取付脚２ｃが一体形成されている。
【００１９】
スプール４は、リール本体２に対して着脱可能に装着されており、外周に釣り糸が巻かれる糸巻胴部４ａと、糸巻胴部４ａの後部に一体で形成されたスカート部４ｂと、糸巻胴部４ａの前端に一体で形成された前フランジ部４ｃと、糸巻胴部４ａの内部に装着された図示しないドラグ機構を操作するためのドラグつまみ４ｄとを有している。糸巻胴部４ａ、スカート部４ｂ及び前フランジ部４ｃの外周には、図２に示すように、筒状のスプールカバー１０が着脱可能に装着されている。
【００２０】
スプールカバー１０は、図３から図５に示すように、前フランジ部４ｃの前方から装着され前フランジ部４ｃ、糸巻胴部４ａ及びスカート部４ｂの全周を覆う弾性樹脂製の筒状部１１と、筒状部１１の前端から内側に折れ曲がって一体成形され前フランジ部４ｃの前面周縁部を覆う環状部１２と、筒状部１１及び環状部１２の内外周を貫通する複数の水抜き孔１３とを有している。
【００２１】
筒状部１１は、図３及び図４に示すように、耐久性及び弾性等バランスが良好な合成ゴムであるクロロプレンゴムによって形成され、スカート部４ｂ側が開口する第１開口部１１ａを有している。筒状部１１の内径は、前フランジ部４ｃの外径より大きくなるように形成され、かつスカート部４ｂの外径よりやや大きくなるように形成されており、筒状部１１をスカート部４ｂの外周に密着させて固定することができる。
【００２２】
環状部１２は、図３から図５に示すように、クロロプレンゴムによって筒状部１１と一体成形されており、内周部が開口する第２開口部１２ａを有している。第２開口部１２ａは、ドラグつまみ４ｄの先端部が外方に露出するように形成されている。
【００２３】
水抜き孔１３は、図３から図５に示すように、筒状部１１及び環状部１２の内外周を貫通する外形が矩形の貫通孔を格子状に並べてメッシュ状に形成されたものである。水抜き孔１３は、筒状部１１の全周及び環状部１２の全面にわたって大量に形成されている。
【００２４】
このようなスピニングリールでは、図２に示すように、スプール４をリール本体２に対して取り付けた状態（図２参照）や、スプール４をリール本体２に対して取り外した状態（図４参照）のいずれの状態においても、スプールカバー１０をスプール４に装着することができる。スプールカバー１０をスプール４に装着するには、図３に示すように、筒状部１１の第１開口部１１ａを前フランジ部４ｃの前方から装着し、スカート部４ｂの後端部まで挿入して固定する。このとき、環状部１２は、前フランジ部４ｃの前面周縁部に密着し、第２開口部１２ａからドラグつまみ４ｄの先端部が外方に露出している。
【００２５】
このようなスプールカバー１０では、クロロプレンゴム製の筒状部１１により前フランジ部４ｃ、糸巻胴部４ａ及びスカート部４ｂの全面が覆われ、クロロプレンゴム製の環状部１２により前フランジ部４ｃの前面周縁部が覆われているので、外部からの衝撃によって傷付きやすい前フランジ部４ｃ及びび糸巻胴部４ａに巻き付けられた釣り糸を確実に保護することができる。
【００２６】
また、筒状部１１及び環状部１２は、内外周を貫通する複数の水抜き孔１３が形成されている。このため、スプール４及び糸巻胴部４ａに巻き付けられた釣り糸に水分が残った状態でスプールカバー１０を装着しても水抜き孔１３から水分が排出されるので、スプール４及び糸巻胴部４ａに巻き付けられた釣り糸を速やかに乾燥できる。
【００２７】
〔他の実施形態〕
（ａ）  スピニングリールの形態は前記実施形態に限定されるものではなく、ドラグ機構を有さないものや、ドラグ機構を後部に有するものや、ブレーキレバーを有する制動機構を装着したものにも本発明を適用できる。
【００２８】
（ｂ）  前記実施形態では、スプールカバー１０は、前フランジ部４ｃ、糸巻胴部４ａ及びスカート部４ｂの全面を覆っていたが、図６及び図７に示すように、糸巻胴部４ａ及び前フランジ部４ｃの全面のみを覆う構成にしてもよい。なお、筒状部１１の端部は、図７に示すように、スカート部４ｂの前端部の一部を覆っており、これにより筒状部１１がスカート部４ｂの外周に密着固定される。
【００２９】
（ｃ）  前記実施形態では、環状部１２は、筒状部１１と一体成形されていたが、筒状部１１と別体で構成してもよいし、あるいは環状部１２を設けない構成にしてもよい。また、図８に示すように、環状部１２に水抜き孔１３を設けない構成にしてもよい。また、図９に示すように、環状部１２に第２開口部１２ａを設けず、前フランジ部４ｃ及びドラグつまみ４ｄの全面を覆う構成にしてもよい。
【００３０】
（ｄ）  前記実施形態では、水抜き孔１３は、筒状部１１及び環状部１２の全面に設けられていたが、筒状部１１及び環状部１２の一部にのみ水抜き孔１３を設ける構成にしてもよい。また、前記実施形態では、水抜き孔１３は、メッシュ状に形成されていたが、図１０に示すように、外形が略円形の複数の貫通孔を周方向及び軸方向に並べて配置することによって水抜き孔１３を設ける構成にしてもよい。
【図面の簡単な説明】
【００３１】
【図１】本発明の一実施形態を採用したスピニングリールの側面図。
【図２】スプールにスプールカバーを装着したときの図１に相当する図。
【図３】前記スプール及び前記スプールカバーの拡大側面図。
【図４】前記スプールに前記スプールカバーを装着したときの図３に相当する図。
【図５】前記スプールに前記スプールカバーを装着したときの拡大正面図。
【図６】他の実施形態の図３に相当する図。
【図７】他の実施形態の図４に相当する図。
【図８】他の実施形態の図５に相当する図。
【図９】他の実施形態の図５に相当する図。
【図１０】他の実施形態の図３に相当する図。
【符号の説明】
【００３２】
１  ハンドル
２  リール本体
２ａ  リールボディ
２ｂ  蓋部材
２ｃ  竿取付脚
３  ロータ
４  スプール
４ａ  糸巻胴部
４ｂ  スカート部
４ｃ  前フランジ部
４ｄ  ドラグつまみ
１０  スプールカバー
１１  筒状部
１１ａ  第１開口部
１２  環状部
１２ａ  第２開口部
１３  水抜き孔
【図１】
2006094755.tif 000003
【図２】
2006094755.tif 000004
【図３】
2006094755.tif 000005
【図４】
2006094755.tif 000006
【図５】
2006094755.tif 000007
【図６】
2006094755.tif 000008
【図７】
2006094755.tif 000009
【図８】
2006094755.tif 000010
【図９】
2006094755.tif 000011
【図１０】
2006094755.tif 000012